(57)【要約】【課題】強力な磁気を動力を要さずに吸収、遮断する手段がなく、機械的な磁気の操作による動力作用は困難であった。【解決手段】本発明は、磁石の磁気を任意に吸収、遮断することで動くモーターであって、回転子が自転と公転するガイド状した任意の形状の固定子と、固定子を反力に自転と公転する回転子と、固定子と回転子の間の磁気回路を遮断する弧状した磁気を吸収し磁気回路を構成する磁気吸収板と、回転子が自転する力を出力軸等に伝える駆動軸、及びアーム、アーム軸等のリンク機構を設ける。【選択図】図１
2013128388.tif 000002
【特許請求の範囲】
【請求項１】
磁気で動くモーターであって、
任意の大きさの環状した回転子の構成で磁気により固定子を反力に自転する回転子と、
磁気により回転子が自転するための反力材でガイド状した任意の形状の固定子を構成する固定子と、
回転子の内径側に任意の厚さと幅の、摺動摩擦、及び磁気による摩擦が少ない材質が望ましい回転子の構成の回転子軸受と、
回転子と固定子の間の不要な磁気を吸収する、任意の形状した磁気回路を構成する磁気吸収機構の磁気吸収板と、
を有することを特徴とするモーター。
【発明の詳細な説明】
【技術分野】
【０００１】  本発明は磁気に関する。
【背景技術】
【０００２】  電動機、リニアモーターカー等。
【発明の概要】
【発明が解決しようとする課題】
【０００３】  従来、永久磁石等の磁気を任意に操作して動力を得る出願、提案等は多種あり、磁気を吸収、又は磁気回路による磁気漏れ、磁気抵抗、磁気の希釈等が生じ、また回転子の自転の反力等種々の困難で、実用化には至っていない。
【課題を解決するための手段】
【０００４】  上述した課題を解決するため、本発明は、モーターの回転子の構成と、回転子が自転するガイド状した固定子の構成と、この回転子の内径側に摺動摩擦、及び磁気による摩擦の少ない材質が望ましい回転子軸受と、回転子軸受を摺動保持する保持軸と、固定子と回転子の間の磁気を吸収し、磁気回路を遮断する構成と、回転子の回転力をアーム等のリンク機構を介して出力軸に伝える。
【発明の効果】
【０００５】  本発明によれば、固定子と回転子の間の磁気を部分的に吸収、遮断する簡単な構成で固定子を反力に回転子が自転する。
【図面の簡単な説明】
【０００６】
【図１】  モーターの回転子の構成と溝付き固定子の正面図。
【図２】  保持軸、及び磁気吸収板等の構成を示す斜視図。
【図３】  図の縮尺が図１の約３分の１で示した環状した溝付き固定子の一部を断面で示した斜視図。
【図４】  図の縮尺が図１の約３分の１で示した溝なし固定子の斜視図。
【図５】  回転子のフラット走行の場合の溝付き固定子の斜視図。
【図６】  図の縮尺が図１の約３分の１で示した電動機の形状したモーターの外観の斜視図。
【発明を実施するための形態】
【０００７】  以下、本発明の実施の形態を図に基づいて説明する。図６に示す任意の大きさのモーターの本体１２は電動機等と同様の形状で、両側にはボス１１に回転自在に保持された図１、図２に示す、任意の強度の中心軸の出力軸１が貫通して設けられている。
【０００８】  また図１、図２は図６の本体１２が省略され。本体１２の外筒の図示されていない内部に電動機の固定子と同様に図１、図３の本体１２に合わせ、また形状は任意な固定子を構成する溝付き固定子６、または図４の溝なし固定子１５の外径と固着。この固定子の構成は図示されていない乾電池サイズ等のモーターの外筒にも利用できる。
【０００９】  また図１は、任意の幅の回転子４の自転のための反力材の、ガイド状の溝を設けた溝付き固定子６と、回転子の構成の回転子４と、また任意の強度のアーム８、１０、アーム軸９、及び出力軸１でリンク機構の構成が示されている。また環状した回転子４の外径が溝付き固定子６の溝の底で接する、図示されていないテコの原理の支点である接触点の位置を破断線で示され、また図２は保持軸２、及び不要な磁気を吸収する磁気吸収機構を構成する磁気吸収板５等の詳細を示す。
【００１０】  また図示の回転子の構成は、磁気の吸収、遮断が容易な幅方向に図示されていない磁化された回転子４を用いている。また回転子４は溝付き固定子６等の３分の１程度の直径で、環状の厚さ、及び幅は任意である。また回転子４の内径側に固着する、摺動摩擦、及び磁気による摩擦の少ない材質と、回転子４と同等以上の厚さが望ましい回転子を構成する回転子軸受３を設ける。この回転子軸受３の内径側と摺動し、重量の軽減で環状した回転子を構成し、また磁気吸収機構を構成する保持軸２は磁気抵抗の少ない、強度等を考慮した断面で回転子４と同程度の幅で設ける。
【００１１】  回転子４に自転する力を生じさせるため、接触点から任意の半円側の磁力を吸収して溝付き固定子６に対する吸引力が生じないよう溝付き固定子６をとおる磁気回路を遮断するため、図２に示す保持軸２の両端に弧状した図示されていない回転子４に被さり、磁気を吸収する磁気吸収板５を対称に固着。
【００１２】  この溝付き固定子６の溝は、図１に示す回転子４の外径と内径の任意の厚さの半分程度の深さで、溝付き固定子６の両側の突起部分の内径と回転子４の外径が接近して磁気の吸引が強く作用する。
【００１３】  また溝付き固定子６に対して公転する磁気吸収板５に摺動摩擦を生じさせないため、溝付き固定子６の溝の内幅と磁気吸収板５の弧状した外径の外幅は図示されていない電動機の固定子と回転子のように僅かな隙間を設ける。
【００１４】  また磁気吸収板５の内幅と回転子４の幅は、磁気の吸収を多くするため図示されていない接触しない程度の隙間、また磁気吸収板５の弧状した外径は図１に示す溝付き固定子６の溝の底に接触しない程度の僅かな隙間を設ける。
【００１５】  また図１、図２の磁気吸収板５の外径側に示す薄い弧状の部分は、溝付き固定子６への磁気漏れを考慮して可能な限り薄く設け、他の部分は磁気抵抗の低減と重量を考慮した材質と任意の断面形状で設ける。この回転子４の両側の磁気を囲み、吸収する角度は図１に示す接触点から、回転子４の円周に対して約２分の１から４分の１程度の角度で、弧状した磁気吸収板５を設ける。
【００１６】  この回転子４と溝付き固定子６の接触点の左右の磁力の差のため接触点を反力にして、回転子４が磁気吸収板５の無い側に引っ張られ、図１では左回転方向に自転。
このため溝付き固定子６に対して回転子４の回転子の構成が公転する。この自転する力は駆動軸７からアーム８、１０、アーム軸９のリンク機構を介して出力軸１に回転力が作用して動力になる。このため溝付き固定子６、及び溝なし固定子１５は磁気抵抗の少ない材質、及び回転子の構成の遠心力を考慮した断面と強度を要す。
【００１７】  またアーム８を保持軸２、または磁気吸収板５に図示されていない直接固着も任意である。また回転力の調整等でアーム８、１０の長さ、及び形状は任意な駆動軸７の位置は図示されていない任意で、アーム１０の両端はアーム軸９、及び出力軸１に固着され、アーム８とアーム軸９は回転自在に保持されている。この回転自在に保持のため環状した固定子の構成の図示されていない多少の偏心には対応可能である。
【００１８】  また溝付き固定子６と回転子４の磁力の吸引効果は接触点から４５度程度。溝なし固定子１５は溝付き固定子６の場合の２分の１以下の角度で吸引力は弱く、回転子４の磁力の大半は無駄になる。
【００１９】  また、より強い磁気の吸引効果で、アーム１０が対向する間の出力軸１を図示されていない除去し、レシプロエンジンのクランク軸の形状に形成し、溝付き固定子６の約３分の２程度の図示されていない大径な回転子４を組み合わせるため、これに合わせた保持軸２、回転子軸受３、及び磁気吸収板５を設ける。また図示されていない分割した弧状の回転子４を大径な回転子軸受３に貼り付け固着し、溝付き固定子６に対して回転子４が接触点から広範囲に接近することで吸引作用が強くなる。
【００２０】  また回転子４と、溝付き固定子６との接触点の摩擦の増強等でアーム８を駆動軸７で回転自在に保持し、アーム８とアーム１０の間に図示されていない任意の形状でバネを設け、出力軸１を反力に駆動軸７を接触点方向に押し付けることも任意で、この場合、偏心した磁気吸収板５に遠心力が作用し、保持軸２が駆動軸７を中心に右回転方向に図示されていない自転するためモーターの回転抑制のガバナ作用が生じる。
【００２１】  また図２は回転子４、及び回転子軸受３を保持軸２に図示されていない組み入れるため保持軸２、又は磁気吸収板５等を任意に分割して、組み入れの後に図１に示す数本の任意のネジ１４で保持軸２、及び磁気吸収板５を一体に固着等も任意。また、図１、図２は偏心した回転子の構成の重量バランスは考慮されていない。このため回転子の構成、及びリンク機構の構成を図示されていない放射状に配置も任意である。
【００２２】  また回転子４の回転摩擦、及び摩耗の低減等のため回転子４の外径、又は溝付き固定子６の溝の中に図示されていない任意の幅で、高さが０．５ミリメートル程度の環状した凸部を軸受材等で設けることは任意である。
【００２３】  また図５に示す、形状は任意な固定子を構成する平らな形状の溝付き固定子６に任意の大きさの回転子の構成を図示されていない乗せ、フラットな走行、または坂、曲線等の走行を行い駆動軸７で牽引等は任意である。また牽引力は弱いが、溝なし固定子１５を図示されていない平に広く設け、回転子の構成が任意の方向に走行させるのも任意。このため固定子の構成が平でも回転子の構成の回転作用は同じである。
【００２４】  また回転子４を磁気材にして、溝なし固定子１５等に図示されていないコイルを巻き付けて電磁石を設ける等も任意。またこの場合、磁気吸収板５を図示されていない大径にして溝なし固定子１５側の磁気を吸収することも任意。また図示されていない磁気の吸収が困難と思われ、磁気の吸引作用は強力な直径方向に磁化は任意。また固定子の構成側、及び回転子４の双方を図示されていない磁化も任意で、この場合双方の磁気を吸収する図示されていない磁気吸収機構を設けることも任意である。
【００２５】  またモーターの小形軽量化、及び回転力の増強等で保持軸２を設けない場合は、回転子４を回転子軸受３で図示されていない摺動、保持し、また駆動軸７、及び磁気吸収板５等を回転子軸受３に図示されていない固着。また磁気吸収板５の磁気の吸収機構を構成する保持軸２の磁気回路は、環状になった回転子軸受３の内径側等に図示されていない任意の断面、形状の磁気材を両側の磁気吸収板５に固着。この磁気材は図示されていない変圧器の鉄心等も代用可能である。
【産業上の利用可能性】
【００２６】  本発明は簡単な構成で回転子４が自転するため動力として広く利用される。
【符号の説明】
【００２７】    １    出力軸
２    保持軸
３    回転子軸受
４    回転子
５    磁気吸収板
６    溝付き固定子
７    駆動軸
８、１０    アーム
９    アーム軸
１１    ボス
１２    本体
１３    本体のベース
１４    ネジ
１５    溝なし固定子
【図１】
2013128388.tif 000003
【図２】
2013128388.tif 000004
【図３】
2013128388.tif 000005
【図４】
2013128388.tif 000006
【図５】
2013128388.tif 000007
【図６】
2013128388.tif 000008